(57)【要約】【課題】分厚い操作マニュアルを持ち歩くこともなく、容易に車載機器の操作の流れを参照しつつ簡易な操作で所望の画面を表示させて車載機器を操作させ、あるいは、実際の車載機器の操作支援を行わせる。【解決手段】携帯電話端末１３は、赤外線通信部３１を介して外部の車載機器に対し、当該車載機器の操作マニュアル表示データの転送を要求し、赤外線通信部を介して受信した操作マニュアル表示データに基づいて車載機器の操作マニュアルを表示部３２に表示し、操作部３３は、表示部３２に表示されている操作マニュアルの表記に対応させた所定領域を選択する操作をユーザに行わせ、コントロール部３７は、いずれかの所定領域が選択された場合に、当該選択された所定領域に予め対応づけられた車載機器の制御コマンドあるいは制御コマンド群を赤外線通信部３１を介して車載機器に送信して、車載機器を操作する。【選択図】図３
2009027586.tif 000002
【特許請求の範囲】
【請求項１】
外部の車載機器と短距離無線通信を行う短距離無線通信部と、
前記短距離無線通信部を介して前記車載機器に対し、当該車載機器の操作マニュアル表示および表示内容に対応付けされた制御コマンドあるいは制御コマンド群を含む操作マニュアル表示データの転送を要求するマニュアルデータ要求部と、
前記短距離無線通信部を介して受信した前記操作マニュアル表示データに基づいて前記車載機器の操作マニュアルを表示する表示部と、
前記表示部に表示されている前記操作マニュアルの表記に対応させた所定領域を選択する操作をユーザに行わせるための操作部と、
いずれかの前記所定領域が選択された場合に、当該選択された前記所定領域に予め対応づけられた前記車載機器の制御コマンドあるいは制御コマンド群を前記短距離無線通信部を介して前記車載機器に送信するコマンド送信部と、
を備えたことを特徴とする携帯型情報処理装置。
【請求項２】
請求項１記載の携帯型情報処理装置において、
前記車載器に送信した前記制御コマンドあるいは制御コマンド群に対して前記車載器から前記短距離無線通信部を介して、当該制御コマンドあるいは制御コマンド群に対応する処理が完了した旨を通知するコマンド対応処理終了通知を受信した場合に、前記表示部において当該処理終了後に表示すべき操作マニュアルを表示するための表示更新処理を行うことを特徴とする携帯型情報処理装置。
【請求項３】
請求項１または請求項２記載の携帯型情報処理装置において、
前記マニュアルデータ要求部は、前記操作マニュアル表示データの転送を要求するための転送要求処理プログラムに基づいて前記転送の要求処理を行うことを特徴とする携帯型情報処理装置。
【請求項４】
請求項３記載の携帯型情報処理装置において、
外部の公衆通信ネットワークを介して外部サーバから前記転送要求処理プログラムをダウンロードすることを特徴とする携帯型情報処理装置。
【請求項５】
請求項１ないし請求項４のいずれかに記載の携帯型情報処理装置において、
前記短距離無線通信部は、赤外線あるいは電波を介して前記通信を行うことを特徴とする携帯型情報処理装置。
【請求項６】
請求項１ないし請求項５のいずれかに記載の携帯型情報処理装置と短距離無線通信を行う無線通信部と、
前記操作マニュアル表示データを記憶するデータ記憶部と、
前記携帯型情報処理装置から操作マニュアル表示データの転送要求がなされた場合に、転送要求本の携帯型情報処理装置に対応する前記操作マニュアル表示データを前記無線通信部を介して転送するマニュアルデータ転送部と、
前記無線通信部を介して、前記携帯型情報処理装置から前記制御コマンドあるいは前記制御コマンド群を受信した場合に、当該制御コマンドあるいは当該制御コマンド群に対応する処理を行うコマンド処理部と、
を備えたことを特徴とする車載機器。
【請求項７】
請求項２記載の携帯型情報処理装置と短距離無線通信を行う無線通信部と、
前記操作マニュアル表示データを記憶するデータ記憶部と、
前記携帯型情報処理装置から操作マニュアル表示データの転送要求がなされた場合に、転送要求本の携帯型情報処理装置に対応する前記操作マニュアル表示データを前記無線通信部を介して転送するマニュアルデータ転送部と、
前記無線通信部を介して、前記携帯型情報処理装置から前記制御コマンドあるいは前記制御コマンド群を受信した場合に、当該制御コマンドあるいは当該制御コマンド群に対応する処理を行うコマンド処理部と、
前記コマンド処理部において処理が完了した場合に、当該制御コマンドあるいは制御コマンド群に対応する処理が完了した旨を通知する前記コマンド対応処理終了通知を前記無線通信部を介して送信する、
ことを特徴とする車載機器。
【請求項８】
外部の車載機器と短距離無線通信を行う短距離無線通信部と、各種情報を表示する表示部と、各種操作を行う操作部と、を有する携帯型情報処理装置をコンピュータにより制御するための制御プログラムにおいて、
前記短距離無線通信部を介して前記車載機器に対し、当該車載機器の操作マニュアル表示および表示内容に対応付けされた制御コマンドあるいは制御コマンド群を含む操作マニュアル表示データの転送を要求させ、
前記短距離無線通信部を介して受信した前記操作マニュアル表示データに基づいて前記車載機器の操作マニュアルを前記表示部に表示させ、
前記操作部を介して、前記表示部に表示されている前記操作マニュアルの表記に対応させたいずれかの所定領域を選択する操作がユーザにより行われた場合に、当該選択された前記所定領域に予め対応づけられた前記車載機器の制御コマンドあるいは制御コマンド群を前記短距離無線通信部を介して前記車載機器に送信させる、
ことを特徴とする制御プログラム。
【請求項９】
請求項１ないし請求項５いずれかに記載の携帯型情報処理装置と短距離無線通信を行う無線通信部と、前記操作マニュアル表示データを記憶するデータ記憶部と、を備えた車載機器をコンピュータにより制御するための制御プログラムにおいて、
前記携帯型情報処理装置から操作マニュアル表示データの転送要求がなされたか否かを判別させ、
前記携帯型情報処理装置から操作マニュアル表示データの転送要求がなされた場合に、転送要求本の携帯型情報処理装置に対応する前記操作マニュアル表示データを前記無線通信部を介して転送させ、
前記無線通信部を介して、前記携帯型情報処理装置から前記制御コマンドあるいは前記制御コマンド群を受信した場合に、当該制御コマンドあるいは当該制御コマンド群に対応する処理を行わせる、
ことを特徴とする制御プログラム。
【請求項１０】
請求項２記載の携帯型情報処理装置と短距離無線通信を行う無線通信部と、前記操作マニュアル表示データを記憶するデータ記憶部と、を備えた車載機器をコンピュータにより制御するための制御プログラムにおいて、
前記携帯型情報処理装置から操作マニュアル表示データの転送要求がなされたか否かを判別させ、
前記携帯型情報処理装置から操作マニュアル表示データの転送要求がなされた場合に、転送要求本の携帯型情報処理装置に対応する前記操作マニュアル表示データを前記無線通信部を介して転送させ、
前記無線通信部を介して、前記携帯型情報処理装置から前記制御コマンドあるいは前記制御コマンド群を受信した場合に、当該制御コマンドあるいは当該制御コマンド群に対応する処理を行わせ、
前記コマンド処理部において処理が完了した場合に、当該制御コマンドあるいは制御コマンド群に対応する処理が完了した旨を通知する前記コマンド対応処理終了通知を前記無線通信部を介して送信させる、
ことを特徴とする制御プログラム。
【発明の詳細な説明】
【技術分野】
【０００１】
本発明は、携帯型情報処理装置、車載機器および制御プログラムにかかり、特に車載機器の操作支援を行うための携帯型情報処理装置、車載機器および制御プログラムに関する。
【背景技術】
【０００２】
近年のデジタル技術の発達により、カーナビゲーション装置、カーオーディオ装置等の車載機器においても、さまざまな機能を有する多機能な車載機器が増えてきている。
このため、多種多様な機能を利用しようとする場合には、多くの車載機器の操作方法を覚える必要があり、分厚い操作マニュアルを読みこなす必要があった。
一方、家庭内のテレビ、ラジオを始めとする電子機器は、リモートコントロール装置（以下、リモコンという。）を用いて遠隔操作ができるようになっており、カーナビゲーション装置、カーオーディオ装置等の車載機器においても同様であり、リモコンを用いることで遠隔操作が可能となっている。
このような車載機器について、各車載機器毎に個別のリモコンを用意しなくとも、携帯電話端末などの携帯用電子機器をリモコンとして使用し、携帯用電子機器により遠隔操作を行うことができるようにしたリモコンシステムが提案されている（例えば、特許文献１参照）。
【特許文献１】特開２００５−２６５５７２号公報
【発明の開示】
【発明が解決しようとする課題】
【０００３】
しかしながら、上記従来の車載機器においては、携帯電話端末の液晶パネルに表示されるのは、当該携帯電話端末をリモコンとして用いるための操作ガイドであり、実際の車載機器の操作に即したものではないため、例え、携帯電話端末での操作に習熟したとしても、車載機器を単独では操作するようになることはできないという問題点があった。
一方、実際の車載機器の操作においては、実際にユーザが各種データを入力したり、所望の操作を行うためには、所望のデータ入力画面あるいは操作画面を表示する必要があるが、やりたいことはわかっていてもそれらの画面の表示にたどり着くことができず、目的を達成できないという場合も生じる。具体的には、所望の画面が階層構造の下層側に位置する場合で、操作に慣れていない場合には、なかなか当該画面に到達できない場合もあった。
そこで、本発明の目的は、分厚い操作マニュアルを持ち歩くこともなく、容易に車載機器の操作の流れを参照しつつ簡易な操作で所望の画面を表示させて車載機器を操作でき、あるいは、実際の車載機器の操作支援を行うことが可能な携帯型情報処理装置、車載機器および制御プログラムを提供することにある。
【課題を解決するための手段】
【０００４】
上記課題を解決するため、本発明の第１の態様の携帯型情報処理装置は、外部の車載機器と短距離無線通信を行う短距離無線通信部と、前記短距離無線通信部を介して前記車載機器に対し、当該車載機器の操作マニュアル表示および表示内容に対応付けされた制御コマンドあるいは制御コマンド群を含む操作マニュアル表示データの転送を要求するマニュアルデータ要求部と、前記短距離無線通信部を介して受信した前記操作マニュアル表示データに基づいて前記車載機器の操作マニュアルを表示する表示部と、前記表示部に表示されている前記操作マニュアルの表記に対応させた所定領域を選択する操作をユーザに行わせるための操作部と、いずれかの前記所定領域が選択された場合に、当該選択された前記所定領域に予め対応づけられた前記車載機器の制御コマンドあるいは制御コマンド群を前記短距離無線通信部を介して前記車載機器に送信するコマンド送信部と、を備えたことを特徴としている。
【０００５】
上記構成によれば、マニュアルデータ要求部は、短距離無線通信部を介して前記車載機器に対し、当該車載機器の操作マニュアル表示データの転送を要求する。
これにより、表示部は、短距離無線通信部を介して受信した前記操作マニュアル表示データに基づいて車載機器の操作マニュアルを表示し、操作部は、表示部に表示されている操作マニュアルの表記に対応させた所定領域を選択する操作をユーザに行わせる。
これにより、コマンド送信部は、いずれかの前記所定領域が選択された場合に、当該選択された前記所定領域に予め対応づけられた前記車載機器の制御コマンドあるいは制御コマンド群を短距離無線通信部を介して車載機器に送信する。
【０００６】
また、第２の態様の携帯型情報処理装置は、前記車載器に送信した前記制御コマンドあるいは制御コマンド群に対して前記車載器から前記短距離無線通信部を介して、当該制御コマンドあるいは制御コマンド群に対応する処理が完了した旨を通知するコマンド対応処理終了通知を受信した場合に、前記表示部において当該処理終了後に表示すべき操作マニュアルを表示するための表示更新処理を行うようにしてもよい。
【０００７】
また、第３の態様の携帯型情報処理装置は、前記マニュアルデータ要求部は、前記操作マニュアル表示データの転送を要求するための転送要求処理プログラムに基づいて前記転送の要求処理を行うようにしてもよい。
また、第４の態様の携帯型情報処理装置は、外部の公衆通信ネットワークを介して外部サーバから前記転送要求処理プログラムをダウンロードするようにしてもよい。
また、第５の態様の携帯型情報処理装置は、前記短距離無線通信部は、赤外線あるいは電波を介して前記通信を行うようにしてもよい。
【０００８】
また、本発明の第６の態様の車載機器は、第１の態様ないし第５の態様のいずれかに記載の携帯型情報処理装置と短距離無線通信を行う無線通信部と、前記操作マニュアル表示データを記憶するデータ記憶部と、前記携帯型情報処理装置から操作マニュアル表示データの転送要求がなされた場合に、転送要求本の携帯型情報処理装置に対応する前記操作マニュアル表示データを前記無線通信部を介して転送するマニュアルデータ転送部と、前記無線通信部を介して、前記携帯型情報処理装置から前記制御コマンドあるいは前記制御コマンド群を受信した場合に、当該制御コマンドあるいは当該制御コマンド群に対応する処理を行うコマンド処理部と、を備えることを特徴としている。
【０００９】
また、第７の態様の車載機器は、第２の態様の携帯型情報処理装置と短距離無線通信を行う無線通信部と、前記操作マニュアル表示データを記憶するデータ記憶部と、前記携帯型情報処理装置から操作マニュアル表示データの転送要求がなされた場合に、転送要求本の携帯型情報処理装置に対応する前記操作マニュアル表示データを前記無線通信部を介して転送するマニュアルデータ転送部と、前記無線通信部を介して、前記携帯型情報処理装置から前記制御コマンドあるいは前記制御コマンド群を受信した場合に、当該制御コマンドあるいは当該制御コマンド群に対応する処理を行うコマンド処理部と、前記コマンド処理部において処理が完了した場合に、当該制御コマンドあるいは制御コマンド群に対応する処理が完了した旨を通知する前記コマンド対応処理終了通知を前記無線通信部を介して送信する、ことを特徴としている。
【００１０】
また、第８の態様の制御プログラムは、外部の車載機器と短距離無線通信を行う短距離無線通信部と、各種情報を表示する表示部と、各種操作を行う操作部と、を有する携帯型情報処理装置をコンピュータにより制御するための制御プログラムであって、前記短距離無線通信部を介して前記車載機器に対し、当該車載機器の操作マニュアル表示および表示内容に対応付けされた制御コマンドあるいは制御コマンド群を含む操作マニュアル表示データの転送を要求させ、前記短距離無線通信部を介して受信した前記操作マニュアル表示データに基づいて前記車載機器の操作マニュアルを前記表示部に表示させ、前記操作部を介して、前記表示部に表示されている前記操作マニュアルの表記に対応させたいずれかの所定領域を選択する操作がユーザにより行われた場合に、当該選択された前記所定領域に予め対応づけられた前記車載機器の制御コマンドあるいは制御コマンド群を前記短距離無線通信部を介して前記車載機器に送信させる、ことを特徴としている。
【００１１】
また、第９の態様の制御プログラムは、上記第１の態様ないし第５の態様のいずれかに記載の携帯型情報処理装置と短距離無線通信を行う無線通信部と、前記操作マニュアル表示データを記憶するデータ記憶部と、を備えた車載機器をコンピュータにより制御するための制御プログラムであって、前記携帯型情報処理装置から操作マニュアル表示データの転送要求がなされたか否かを判別させ、前記携帯型情報処理装置から操作マニュアル表示データの転送要求がなされた場合に、転送要求本の携帯型情報処理装置に対応する前記操作マニュアル表示データを前記無線通信部を介して転送させ、前記無線通信部を介して、前記携帯型情報処理装置から前記制御コマンドあるいは前記制御コマンド群を受信した場合に、当該制御コマンドあるいは当該制御コマンド群に対応する処理を行わせる、ことを特徴としている。
【００１２】
また、第１０の態様の制御プログラムは、第２の態様の携帯型情報処理装置と短距離無線通信を行う無線通信部と、前記操作マニュアル表示データを記憶するデータ記憶部と、を備えた車載機器をコンピュータにより制御するための制御プログラムであって、前記携帯型情報処理装置から操作マニュアル表示データの転送要求がなされたか否かを判別させ、前記携帯型情報処理装置から操作マニュアル表示データの転送要求がなされた場合に、転送要求本の携帯型情報処理装置に対応する前記操作マニュアル表示データを前記無線通信部を介して転送させ、前記無線通信部を介して、前記携帯型情報処理装置から前記制御コマンドあるいは前記制御コマンド群を受信した場合に、当該制御コマンドあるいは当該制御コマンド群に対応する処理を行わせ、前記コマンド処理部において処理が完了した場合に、当該制御コマンドあるいは制御コマンド群に対応する処理が完了した旨を通知する前記コマンド対応処理終了通知を前記無線通信部を介して送信させる、ことを特徴としている。
【発明の効果】
【００１３】
本発明によれば、分厚い操作マニュアルを持ち歩くこともなく、容易に車載機器の操作の流れを参照しつつ簡易な操作で所望の画面を表示させて車載機器を操作でき、あるいは、実際の車載機器の操作支援を行える。
【発明を実施するための最良の形態】
【００１４】
次に、本発明の好適な実施の形態について図面を参照して説明する。
図１は、車載機器の操作支援システムの概要構成ブロック図である。
操作支援システム１０は、大別すると、操作支援対象の車載機器１１と、車載機器１１と短距離無線通信ネットワーク１２を介して接続され、車載機器１１の操作マニュアルを表示するための携帯型情報処理装置としての携帯電話端末１３と、携帯電話端末１３と公衆通信ネットワーク１４を介して接続されるとともに、操作マニュアル表示データを車載機器１１からダウンロードするためのアプリケーションプログラムをあらかじめ携帯電話端末１３の種類別に格納したアプリケーションサーバ１５と、を備えている。
【００１５】
図２は、車載機器の概要構成ブロック図である。
車載機器１１としては、オーディオビジュアル機器、オーディオ機器、カーナビゲーション機器などが挙げられるが、以下においては、車載機器がカーナビゲーション機器である場合について説明する。
車載機器１１は、赤外線を用いて短距離無線を行う赤外線通信部２１と、ナビゲーション用の地図画像を含む各種情報を表示する表示部２２と、ユーザが各種操作を行うための複数の操作子が設けられた操作部２３と、ＤＶＤなどのディスク状記録媒体の再生を行うディスク再生部２４と、ナビゲーション用地図データベースおよび当該車載機器１１の操作マニュアルを携帯電話端末１３の表示画面に表示させるとともに、表示画面の所定領域に対応づけられた制御コマンドを特定するための操作マニュアル表示データを格納したハードディスクなどの外部記憶装置２５と、車載機器全体を制御するためのコントロール部２６と、を備えている。
コントロール部２６は、いわゆるマイクロコンピュータとして構成されており、当該コントロール部２６を制御するための制御プログラムおよび制御用データを格納したＲＯＭ２７と、ワークエリアとして機能し、各種データを一時的に記憶するＲＡＭ２８と、ＲＯＭ２７に格納されたプログラムに基づいて当該コントロール部２６、ひいては、車載機器１１全体の制御を行うＭＰＵ２９と、を備えている。
【００１６】
図３は、携帯電話端末の概要構成ブロック図である。
携帯電話端末１３は、赤外線を用いて短距離無線を行う赤外線通信部３１と、車載機器１１の操作マニュアルを含む各種情報を表示する表示部３２と、ユーザが各種操作を行うためのテンキーを含む複数の操作子が設けられた操作部３３と、半導体メモリカードのリード／ライトを行うメモリカードリーダライタ部３４と、公衆通信ネットワーク１４を介して通信を行うための無線通信部３５と、各種情報を不揮発的に記憶するＥＥＰＲＯＭなどの不揮発性メモリ３６と、携帯電話端末１３全体を制御するためのコントロール部３７と、を備えている。
【００１７】
コントロール部３７は、いわゆるマイクロコンピュータとして構成されており、当該コントロール部３７を制御するための制御プログラムおよび制御用データを格納したＲＯＭ３８と、ワークエリアとして機能し、各種データを一時的に記憶するＲＡＭ３９と、ＲＯＭ３８に格納されたプログラムに基づいて当該コントロール部３７、ひいては、携帯電話端末１３全体の制御を行うＭＰＵ４０と、を備えている。
アプリケーションサーバ１５は、公衆通信ネットワーク１４を介した通信を行う通信機能を有するサーバ本体４１と、携帯電話端末１３が車載機器１１から当該車載機器の操作マニュアル表示用データをダウンロードするためのアプリケーションプログラムを携帯電話端末１３の機種ごとに記憶するデータベース部４２と、を備えている。
【００１８】
次に実施形態の動作を説明する。
図４は、アプリケーションプログラムダウンロード時のシーケンスフローチャートである。
携帯電話端末１３は、公衆通信ネットワーク１４を介してアプリケーションサーバ１５のサーバ本体４１に対して車載機器の操作マニュアル表示データを要求するためのアプリケーションプログラムを取得すべく、自己の種別を表す種別データを添付してアプリケーションプログラムのダウンロードを要求する（ステップＳ１１）。
これによりアプリケーションサーバ１５は、送信された種別データに基づいてデータベース部４２を参照し、公衆通信ネットワーク１４を介してアプリケーションのダウンロードを要求した携帯電話端末１３に対応するアプリケーションプログラムを検索する（ステップＳ１２）。
【００１９】
検索の結果、アプリケーションのダウンロードを要求した携帯電話端末１３に対応するアプリケーションプログラムが見つかると、アプリケーションサーバ１５は、携帯電話端末１３に対するダウンロード処理を開始する。
これにより、携帯電話端末１３には、公衆通信ネットワーク１４を介してアプリケーションプログラムがダウンロードされ、携帯電話端末１３のコントロール部３７は、不揮発性メモリ３６に当該アプリケーションプログラムのインストールを行うこととなる（ステップＳ１４）。
【００２０】
図５は、マニュアル表示データダウンロード時のシーケンスフローチャートである。
図６は、アプリケーションプログラム起動時の携帯電話端末の表示画面の説明図である。
アプリケーションサーバ１５からアプリケーションプログラムをダウンロードし、インストールが完了した携帯電話端末１３において、ユーザは、アプリケーションプログラムを起動させる（ステップＳ２１）。
これにより、携帯電話端末１３の表示部３２の表示画面３２Ａには、図５に示すように、携帯電話端末１３の赤外線通信部３１の赤外光受発光部３１Ａを車載機器の赤外線受発光部に対向させて操作部３３における通信開始指示キーの操作を促す旨の画面が表示される（ステップＳ２２）。図５においては、通信開始指示キーを「♯」キーとして表示している。
この表示画面の指示にしたがって、ユーザが携帯電話端末１３の赤外線通信部３１の赤外光受発光部３１Ａを車載機器の赤外線通信部２１の赤外線受発光部（図示せず）に対向させて通信開始指示キーを操作すると、赤外線通信が開始され、携帯電話端末１３の赤外線通信部３１からマニュアル表示データのダウンロード要求コマンドを送信する（ステップＳ２３）。
【００２１】
一方、車載機器１１のコントロール部２６は、ダウンロード要求コマンドを赤外線通信部２１を介して受信し、外部記憶装置２５から操作マニュアル表示データを読み出す（ステップＳ２４）。
つづいてコントロール部２６は、赤外線通信部２１を制御し、赤外線通信部２１を介して操作マニュアル表示データを携帯電話端末１３に送信する（ステップＳ２５）。
これにより、携帯電話端末１３の赤外線通信部３１が車載機器１１からマニュアル表示データを受信すると、コントロール部３７のＭＰＵ４０は、マニュアル表示データをバッファとして機能するＲＡＭ３９に格納しつつ、不揮発性メモリ３６に転送し、格納する（ステップＳ２６）。
【００２２】
つづいて、コントロール部３７のＭＰＵ４０は、不揮発性メモリ３６からマニュアル表示データを読み出し、ＲＡＭ３９に展開し、表示部３２に車載機器１１の操作マニュアルを表示する（ステップＳ２７）。
この場合において、表示されるマニュアルは、ベクトルデータで構成された画像データ、あるいは、ＨＴＭＬ（Ｈｙｐｅｒ  Ｔｅｘｔ  Ｍａｒｋｕｐ  Ｌａｎｇｕａｇｅ）などにより形成されており、各画像データあるいはＨＴＭＬの所定のページ（情報表示画面）には、操作部３３の操作により容易にジャンプ（移行）可能とされている。具体的には、初期状態において、電子栞情報表示画面あるいはサムネイル表示を行い選択された電子栞あるいはサムネイルに応じて、対応するページに移行するようにすればよい。あるいは、検索画面を表示し、ユーザの所望する操作に対応する検索語（キーワード）を入力して、対応する検索語を含むページにジャンプするようにしてもよい。この場合において、対応する検索語を含むページが複数存在する場合には、見出し語として検索語を含むページを優先的に表示するとともに、複数ページを連続的にジャンプできるようにすればよい。
【００２３】
図７は、携帯電話端末のマニュアル表示画面の一例の説明図である。
図８は、車載機器の操作パネルの外観正面図である。
まず、ユーザが表示された操作マニュアルを参照して、車載機器１１を制御する場合について説明する。
図７に示すように、携帯電話端末１３の表示部３２の表示画面３２Ａには、ディスク／メモリカードを取り出す場合の操作マニュアルが表示されているとすると、ユーザは、表示画面３２Ａに表示されている操作マニュアルに従って、ディスクを取り出す場合には、図８に示すように、車載機器１１の操作パネル１１Ａに設けられているディスクイジェクトボタン［ＣＤ△］２３Ａを押し下げることにより、ディスク挿入口１１Ｂからディスクがイジェクトされることを容易に理解して、実際にディスクイジェクトボタン２３Ａを操作することとなる。
この結果、ディスク挿入口１１Ｂからディスクがイジェクトされる。
次にユーザが表示された操作マニュアルを操作して、携帯電話端末１３をリモコンとして機能させて車載機器１１を制御する場合について説明する。
さらに操作マニュアル表示データには、ユーザの操作に対応して車載機器１１の制御を行うためのスクリプト言語（例えば、Ｊａｖａ（登録商標）など）が組み込まれている。これにより、操作マニュアルの所定の表示領域を選択することにより、当該表示領域に対応する所定のコマンドが車載機器側に送信され、対応する処理が実行されることとなる。
【００２４】
図９は、携帯電話端末をリモコンとして機能させて車載機器を制御する場合の画面説明図である。
以下においては、ステップＳ２７の処理において、表示された車載機器１１の操作マニュアルが、図９に示すように「ディスプレイの設定項目の選び方」の場合を例として説明する。
図９の例においては、表示された操作マニュアル中の領域ＡＲ１１および領域ＡＲ１２には、予め制御コマンドが対応づけられている。
具体的には、操作部３３のカーソルキー３３Ａ（図６参照）を操作し、領域ＡＲ１１にカーソルを位置させ（この場合に、領域ＡＲ１１は、反転表示される）、確定キー３３Ｂ（図６参照）により、当該領域ＡＲ１１を選択確定すると、車載機器１１のディスプレイボタン［Ｄ］を１秒間以上の所定時間押し続けた場合に相当する制御コマンドが携帯電話端末１３の赤外線通信部３１から車載機器１１の赤外線通信部２１に送信される（ステップＳ２９）。
【００２５】
この結果、車載機器１１のコントロール部２６は、送信された制御コマンドに対応するコマンド対応処理に移行する（ステップＳ３０）。具体的には、本例の場合、コントロール部２６は、当該車載機器の動作モードをディスプレイアジャストモードとし、表示部２２の表示画面をディスプレイアジャストモードに対応する画面とする。
そして、車載機器１１のコントロール部２６は、ディスプレイアジャストモードに対応する画面表示が完了すると、赤外線通信部２１を介し、その旨をコマンド対応処理終了通知として携帯電話端末１３の赤外線通信部３１に送信する（ステップＳ３１）。
コマンド対応処理終了通知を赤外線通信部３１を介して受信した携帯電話端末１３のコントロール部３７は、ディスプレイアジャストモードに移行後に参照すべき操作マニュアル画面に表示部３２の表示を更新する（ステップＳ３２）。
【００２６】
図１０は、ディスプレイアジャストモード時の携帯電話端末の表示画面説明図である。
具体的には、ディスプレイアジャストモード時には、図１０に示すように、ディスプレイアジャストモードで設定可能な設定項目リストを表示する。
この場合において、図９の領域ＡＲ１３に表示しているように、車載機器１１においては、サーチキー２３Ｃ、２３Ｄ（図８参照）を操作することにより、設定項目を選べる状態になっており、ユーザがこの段階で車載機器１１を直接操作して設定項目を選ぶことも可能となっている。
【００２７】
一方、携帯電話端末１１の表示画面上では、図１０に示すように、表示された操作マニュアル中の領域ＡＲ２１〜ＡＲ２７には、予め制御コマンドが対応づけられている。
すなわち、上述したディスプレイアジャストモードへの移行の場合と同様に、操作部３３のカーソルキー３３Ａ（図６参照）を操作し、領域ＡＲ２１にカーソルを位置させ（この場合に、領域ＡＲ２１は、反転表示される）、確定キー３３Ｂ（図６参照）により、当該領域ＡＲ２１を選択確定すると、時計設定モードにダイレクトに移行し、車載機器１１の表示部２２の表示画面は、時計設定モードに対応したものとなる。
【００２８】
同様に、操作部３３のカーソルキー３３Ａ（図６参照）を操作し、領域ＡＲ２２にカーソルを位置させ（この場合に、領域ＡＲ２１は、反転表示される）、確定キー３３Ｂ（図６参照）により、当該領域ＡＲ２２を選択確定すると、スクリーンセーバー設定モードにダイレクトに移行し、車載機器１１の表示部２２の表示画面は、スクリーン設定モードに対応したものとなる。
また、操作部３３のカーソルキー３３Ａ（図６参照）を操作し、領域ＡＲ２３にカーソルを位置させ（この場合に、領域ＡＲ２１は、反転表示される）、確定キー３３Ｂ（図６参照）により、当該領域ＡＲ２３を選択確定すると、スクリーンセーバーメッセージ入力モードにダイレクトに移行し、車載機器１１の表示部２２の表示画面は、スクリーンセーバーメッセージ入力モードに対応したものとなる。
【００２９】
また、操作部３３のカーソルキー３３Ａ（図６参照）を操作し、領域ＡＲ２４にカーソルを位置させ（この場合に、領域ＡＲ２１は、反転表示される）、確定キー３３Ｂ（図６参照）により、当該領域ＡＲ２４を選択確定すると、タイトルスクロール方法設定モードにダイレクトに移行し、車載機器１１の表示部２２の表示画面は、タイトルスクロール方法設定モードに対応したものとなる。
また、操作部３３のカーソルキー３３Ａ（図６参照）を操作し、領域ＡＲ２５にカーソルを位置させ（この場合に、領域ＡＲ２１は、反転表示される）、確定キー３３Ｂ（図６参照）により、当該領域ＡＲ２５を選択確定すると、タイトルスクロール速度設定モードにダイレクトに移行し、車載機器１１の表示部２２の表示画面は、タイトルスクロール速度設定モードに対応したものとなる。
【００３０】
また、操作部３３のカーソルキー３３Ａ（図６参照）を操作し、領域ＡＲ２６にカーソルを位置させ（この場合に、領域ＡＲ２１は、反転表示される）、確定キー３３Ｂ（図６参照）により、当該領域ＡＲ２６を選択確定すると、ディマー設定モードにダイレクトに移行し、車載機器１１の表示部２２の表示画面は、ディマー設定モードに対応したものとなる。
また、操作部３３のカーソルキー３３Ａ（図６参照）を操作し、領域ＡＲ２７にカーソルを位置させ（この場合に、領域ＡＲ２１は、反転表示される）、確定キー３３Ｂ（図６参照）により、当該領域ＡＲ２７を選択確定すると、ディスプレイコントラスト調整モードにダイレクトに移行し、車載機器１１の表示部２２の表示画面は、ディスプレイコントラスト調整モードに対応したものとなる。
【００３１】
ここで、図１０の表示画面において、スクリーンセーバー設定モードをユーザが選択した場合について説明する。
図１１は、スクリーンセーバー設定モード時の携帯電話端末の表示画面の説明図である。
携帯電話端末１１の表示画面上では、図１１に示すように、表示された操作マニュアル中の領域ＡＲ３１〜ＡＲ３４には、予め制御コマンドが対応づけられている。
この場合には、既にスクリーンセーバー設定モードに移行しているので、領域ＡＲ３１を選択確定したとしても、そのままの状態が保持される。
【００３２】
一方、領域ＡＲ３２〜ＡＲ３４を選択した場合には、各領域ＡＲ３２〜ＡＲ３４に対応した制御コマンドが車載機器１１に送信されることとなる。
すなわち、操作部３３のカーソルキー３３Ａ（図６参照）を操作し、領域ＡＲ３２にカーソルを位置させ（この場合に、領域ＡＲ３２は、反転表示される）、確定キー３３Ｂ（図６参照）により、当該領域ＡＲ３２を選択確定すると、車載機器１１の［ＶＯＬＵＭＥ］ノブを回して［ＳＳ  ＯＮ］を設定した場合に相当する制御コマンドが携帯電話端末１３の赤外線通信部３１から車載機器１１の赤外線通信部２１に送信される（ステップＳ２９）。
【００３３】
この結果、車載機器１１のコントロール部２６は、送信された制御コマンドに対応するコマンド対応処理に移行し（ステップＳ３０）、スクリーンセーバーを表示することとなる。
そして、車載機器１１のコントロール部２６は、スクリーンセーバーの表示が完了すると、赤外線通信部２１を介し、その旨をコマンド対応処理終了通知として携帯電話端末１３の赤外線通信部３１に送信することとなり（ステップＳ３１）、コマンド対応処理終了通知を赤外線通信部３１を介して受信した携帯電話端末１３のコントロール部３７は、スクリーンセーバー表示後に参照すべき操作マニュアル画面に表示部３２の表示を更新する（ステップＳ３２）。
【００３４】
また、操作部３３のカーソルキー３３Ａ（図６参照）を操作し、領域ＡＲ３３にカーソルを位置させ（この場合に、領域ＡＲ３３は、反転表示される）、確定キー３３Ｂ（図６参照）により、当該領域ＡＲ３３を選択確定すると、車載機器１１の［ＶＯＬＵＭＥ］ノブを回して［ＳＳ  ＯＦＦ］を設定した場合に相当する制御コマンドが携帯電話端末１３の赤外線通信部３１から車載機器１１の赤外線通信部２１に送信される（ステップＳ２９）。この結果、車載機器１１のコントロール部２６は、送信された制御コマンドに対応するコマンド対応処理に移行し（ステップＳ３０）、スクリーンセーバーの表示を禁止することとなる。
そして、車載機器１１のコントロール部２６は、スクリーンセーバーの表示禁止が完了すると、赤外線通信部２１を介し、その旨をコマンド対応処理終了通知として携帯電話端末１３の赤外線通信部３１に送信することとなり（ステップＳ３１）、コマンド対応処理終了通知を赤外線通信部３１を介して受信した携帯電話端末１３のコントロール部３７は、スクリーンセーバー表示禁止後に参照すべき操作マニュアル画面に表示部３２の表示を更新する（ステップＳ３２）。
【００３５】
また、操作部３３のカーソルキー３３Ａ（図６参照）を操作し、領域ＡＲ３４にカーソルを位置させ（この場合に、領域ＡＲ３４は、反転表示される）、確定キー３３Ｂ（図６参照）により、当該領域ＡＲ３４を選択確定すると、車載機器１１の［ＶＯＬＵＭＥ］ノブを回して［ＳＳ  ＭＥＳＳＡＧＥ］を設定した場合に相当する制御コマンドが携帯電話端末１３の赤外線通信部３１から車載機器１１の赤外線通信部２１に送信される（ステップＳ２９）。この結果、車載機器１１のコントロール部２６は、送信された制御コマンドに対応するコマンド対応処理に移行し（ステップＳ３０）、スクリーンセーバー表示時に表示するメッセージを表示することとなる。
そして、車載機器１１のコントロール部２６は、メッセージの表示が完了すると、赤外線通信部２１を介し、その旨をコマンド対応処理終了通知として携帯電話端末１３の赤外線通信部３１に送信することとなり（ステップＳ３１）、コマンド対応処理終了通知を赤外線通信部３１を介して受信した携帯電話端末１３のコントロール部３７は、メッセージ表示後に参照すべき操作マニュアル画面に表示部３２の表示を更新する（ステップＳ３２）。
【００３６】
以上の説明のように、本実施形態によれば、実際の車載機器１１を操作するに際し、携帯電話端末１３の表示画面３２Ａに操作マニュアルを表示し、所定の領域を選択、確定するだけで、車載機器をリモートコントロールすることができるので、車載機器を単独で操作する場合には、所望のデータ入力画面あるいはあるいは操作画面を表示させることができ、ユーザは、操作に不慣れなことに起因するストレスを感じることなく、操作を行なえ、かつ、操作に習熟することができる。
さらに、操作ガイドを車載機器の表示部２２に表示する場合と比較して、表示領域を削減することもないので、表示部２２の内容を参照しながら操作を行う必要が有る場合などに特に効果的に正しい操作が行える。
また、携帯電話端末１３に操作マニュアル表示データのダウンロード用のアプリケーションプログラムがインストールされており、複数種類の車載機器１１で操作マニュアル表示データのデータフォーマットの共通化が図られている状態であれば、対象となる車載機器から直接、操作マニュアル表示データをダウンロードし、車載機器を制御することができるため、操作マニュアルにしたがって、さまざまな車載機器を容易に操作することが可能となる。したがって、例えば、友人から借りた車両に搭載されている車載機器であっても、直ちに操作マニュアルを手に入れ、操作マニュアルを参照しつつ、携帯電話端末１３を介して間接的に車載機器１３を操作し、あるいは、直接車載機器１３を操作することができるようになる。
【００３７】
さらに、印刷された紙製の分厚いマニュアルを持ち歩く必要もなく、当該マニュアルを見ながら操作する場合と比較して、容易、かつ、迅速に操作を理解し、車載機器に所望の動作を行わせることができる。
【００３８】
以上の説明においては、ある制御コマンドに対応する車載機器１１における処理終了後に表示すべき操作マニュアルの更新処理については、詳細に説明しなかったが、更新先の操作マニュアルの表示ページについては、あらかじめ操作マニュアル表示データにおいて対応づけておく必要がある。すなわち、各制御コマンド終了後には、予め定められたページへジャンプするようにされている。
【００３９】
以上の説明においては、説明の簡略化のため、表示画面３２Ａの所定の領域（例えば、領域ＡＲ１１）に対して、一つの制御コマンドが対応しているように説明したが、実際には、複数の一連の制御コマンド（制御コマンド群）を対応させて、連続してそれらの制御コマンドに対応する処理を車載器側に行わせるように構成することが可能である。
以上の説明においては、携帯型情報処理装置として携帯電話端末を用いる場合について説明したが、近接無線通信機能を使って車載機器と通信を行う構成を有する携帯型情報処理装置であれば、同様に適用が可能である。具体的には、ＰＤＡ（Ｐｅｒｓｏｎａｌ  Ｄｉｇｉｔａｌ  Ａｓｓｉｓｔａｎｃｅ）などの携帯用電子機器であって、車載機器との間でＢｌｕｅｔｏｏｔｈ（登録商標）やＩｒＤＡなどの短距離無線通信が可能なものであれば、適用が可能である。
【００４０】
以上の説明においては、操作マニュアルとして、静止画を表示させる場合について説明したが、操作を具体的にアニメーション化した動画表示を行うようにしてもよい。
以上の説明においては、操作マニュアル表示データをアプリケーションサーバからダウンロードする構成を採っていたが、メモリカードなどの記録媒体から携帯電話端末（携帯型情報処理装置）に読み込むように構成することも可能である。
この構成によれば、インターネットなどの通信ネットワークに接続していない環境あるいは回線状況などに起因して通信ネットワークに接続できない場合であっても、容易に対応することが可能である。
【図面の簡単な説明】
【００４１】
【図１】車載機器の操作支援システムの概要構成ブロック図である。
【図２】車載機器の概要構成ブロック図である。
【図３】携帯電話端末の概要構成ブロック図である。
【図４】アプリケーションプログラムダウンロード時のシーケンスフローチャートである。
【図５】マニュアル表示データダウンロード時のシーケンスフローチャートである。
【図６】アプリケーションプログラム起動時の携帯電話端末の表示画面の説明図である。
【図７】携帯電話端末のマニュアル表示画面の一例の説明図である。
【図８】車載機器の操作パネルの外観正面図である。
【図９】携帯電話端末をリモコンとして機能させて車載機器を制御する場合の画面説明図である。
【図１０】ディスプレイアジャストモード時の携帯電話端末の表示画面説明図である。
【図１１】スクリーンセーバー設定モード時の携帯電話端末の表示画面の説明図である。
【符号の説明】
【００４２】
１０    操作支援システム
１１    車載機器
１１Ａ  操作パネル
１１Ｂ  ディスク挿入口
１２    短距離無線通信ネットワーク
１３    携帯電話端末
１４    公衆通信ネットワーク
１５    アプリケーションサーバ
２１    赤外線通信部
２２    表示部
２３    操作部
２３Ａ  ディスクイジェクトボタン
２４    ディスク再生部
２５    外部記憶装置
２６    コントロール部
２７    ＲＯＭ
２８    ＲＡＭ
２９    ＭＰＵ
３１    赤外線通信部
３１Ａ  赤外光受発光部
３２    表示部
３２Ａ  表示画面
３３    操作部
３３Ａ  カーソルキー
３３Ｂ  確定キー
３４    メモリカードリーダライタ部
３５    無線通信部
３６    不揮発性メモリ
３７    コントロール部
３８    ＲＯＭ
３９    ＲＡＭ
４０    ＭＰＵ
４１    サーバ本体
４２    データベース部
ＡＲ１１〜１３、ＡＲ２１〜２７、ＡＲ３１〜３４  領域（所定領域）
【図１】
2009027586.tif 000003
【図２】
2009027586.tif 000004
【図３】
2009027586.tif 000005
【図４】
2009027586.tif 000006
【図５】
2009027586.tif 000007
【図６】
2009027586.tif 000008
【図７】
2009027586.tif 000009
【図８】
2009027586.tif 000010
【図９】
2009027586.tif 000011
【図１０】
2009027586.tif 000012
【図１１】
2009027586.tif 000013